(57)【要約】【課題】軒樋の内側に内継手が設けられている軒樋の接続構造において、軒樋の後耳部が軒樋吊り具の後耳保持部にスムースに係合され、しかも、内継手の後側壁の上端が軒樋の後側壁から浮き上がるのを防止し、軒樋の突き合わせ部からの漏水の発生を防止できる軒樋の接続構造を提供することを目的とする。【解決手段】前耳部１４及び後耳部１５が形成された軒樋１、１同士が長手方向端部を互いに突き合わせた状態で配設され、突き合わせられた軒樋１、１の間に跨がって軒樋１の内周面に沿うように内継手２が装着された軒樋の接続構造において、軒樋１の後耳部１５と内継手２の後側壁２３の上端とが把持具３を介して保持されており、軒樋１の後耳部１５は後側壁１３の上端から後方もしくは前方に向けて膨出した係止突起部１５１が形成され、把持具３は係止突起部１５１を冠着する開口溝３０が設けられ、該開口溝３０に前記係止突起部１５１を冠着して軒樋１の後側壁１３と開口溝３０の溝縁との間に係合溝４０を形成し、該係合溝４０に内継手２の後側壁２３の上端に形成された後耳係止部２５が係合されている。【選択図】      図１
2004176377.tif 000002
【特許請求の範囲】
【請求項１】
前耳部及び後耳部が形成された軒樋同士が長手方向端部を互いに突き合わせた状態で配設され、突き合わせられた軒樋の間に跨がって軒樋の内周面に沿うように内継手が装着された軒樋の接続構造において、軒樋の後耳部と内継手の後側壁の上端とが把持具を介して保持されており、軒樋の後耳部は後側壁の上端から後方もしくは前方に向けて膨出した係止突起部が形成され、把持具は係止突起部を冠着する開口溝が設けられ、該開口溝に前記係止突起部を冠着して軒樋の後側壁と開口溝の溝縁との間に係合溝を形成し、該係合溝に内継手の後側壁の上端に形成された後耳係止部が係合されていることを特徴とする軒樋の接続構造。
【発明の詳細な説明】
【０００１】
【発明の属する技術分野】
本発明は、軒樋の内側に内継手が設けられている軒樋の接続構造に関する。
【０００２】
【従来の技術】
従来、軒樋の内側に内継手が設けられている軒樋の接続構造としては、例えば、図１４に示すように、外面形状が軒樋ａの内面形状にほぼ一致する形状に成形された薄肉の板状部材から構成された内継手ｂを接着剤ｃを介して軒樋ａの内周面に沿って装着したものが知られている（例えば、特許文献１を参照。）。
【０００３】
この場合、軒樋ａを内継手ｂで接続するには、外周面に接着剤ｃが塗布された内継手ｂを、突き合わせられた軒樋ａの間に跨がって、軒樋ａの後耳部ｄに内継手ｂの係止凸部ｅを引っ掛けて、矢印ｓの方向に押し込むようにして嵌め込み、軒樋ａの前耳部ｆと内継手ｂの係止凹部ｇを係合させて軒樋ａの内周面に沿うように取付けて接続している。
【０００４】
【特許文献１】
特開平３─２８４４７号公報（第１図及び第２図）
【０００５】
【発明が解決しようとする課題】
ところで、従来の軒樋の接続構造にあっては、図１５（ａ）  に示すように、軒先に取付けられた軒樋吊り具ｋに軒樋ａを取付けるときに軒先と軒樋ａとの間の狭い空間で後耳部ｄを軒樋吊り具ｋの後耳保持部ｉに取付けているが、内方に向けて開口部ｈが設けられた軒樋ａの場合では、後耳部ｄを後耳保持部ｉに装着するときに、図１４（ｂ）  に示すように、軒樋吊り具ｋの後耳保持部ｉの押さえバネｊが開口部ｈに挿入され引っ掛かった状態で係止されることがある。そのため、軒樋吊り具ｋへの取付けが完了したものと勘違いしてそのまま使用され、使用中に、軒樋ａが軒樋吊り具ｋから外れるということがある。
【０００６】
そこで、後耳部が軒樋吊り具ｋの後耳保持部ｉに確実に係合される軒樋として、軒樋の後側壁の上端部に後方もしくは前方に向けて膨出した係止突起部が形成されたものが使用されている。この軒樋は後耳部に開口部ｈが設けられていない構造であるから軒樋吊り具ｋの後耳保持部ｉの押さえバネｊに引っ掛かることがない。
【０００７】
しかしながら、後耳部の係止突起部が後方に向いている軒樋の場合は、内継手の後側壁の上端を係止することができない。また、後耳部の係止突起部が前方に向いている軒樋の場合は、係止突起部の基部に当接して引っ掛けることができたとしても、軒樋を広げて内継手を嵌めるとき内継手の後側壁の上端が基部から離れて浮き上がり、軒樋の後側壁と内継手の後側壁の接着が不十分となることがある。
【０００８】
その結果、接続された軒樋と内継手と間に隙間が生じることになるので、この隙間から軒樋内を流れる雨水が浸入して、突き合わせられた軒樋の継ぎ目から雨水が漏れて軒下に落下するという問題があった。
【０００９】
本発明は、このような事情に鑑みて、軒樋の内側に内継手が設けられている軒樋の接続構造において、軒樋の後耳部が軒樋吊り具の後耳保持部にスムースに係合され、しかも、内継手の後側壁の上端が軒樋の後側壁から浮き上がるのを防止し、軒樋の突き合わせ部からの漏水の発生を防止できる軒樋の接続構造を提供することを目的としている。
【００１０】
【課題を解決するための手段】
このような目的を達成するために、請求項１に記載の発明に係わる軒樋の接続構造（以下、「請求項１の軒樋の接続構造」と記す）は、前耳部及び後耳部が形成された軒樋同士が長手方向端部を互いに突き合わせた状態で配設され、突き合わせられた軒樋の間に跨がって軒樋の内周面に沿うように内継手が装着された軒樋の接続構造において、軒樋の後耳部と内継手の後側壁の上端とが把持具を介して保持されており、軒樋の後耳部は後側壁の上端から後方もしくは前方に向けて膨出した係止突起部が形成され、把持具は係止突起部を冠着する開口溝が設けられ、該開口溝に前記係止突起部を冠着して軒樋の後側壁と開口溝の溝縁との間に係合溝を形成し、該係合溝に内継手の後側壁の上端に形成された後耳係止部が係合されていることを特徴としている。
【００１１】
【発明の実施の形態】
以下に、本発明の軒樋の接続構造の実施の形態をあらわす図面を参照しつつ詳しく説明する。
図１〜図８は本発明の実施の形態の第１実施例をあらわしている。
【００１２】
図１は、本発明の軒樋の接続構造の第１実施例を示す側面図、図２は同じく軒樋の接続構造の分解側面図である。この軒樋の接続構造は、軒樋１同士が長手方向端部を互いに突き合わせた状態で配設され、突き合わせられた軒樋１の間に跨がって軒樋１の内周面に沿うように内継手２が設けられており、軒樋１の後耳部１５と内継手２の後側壁２３の上端に形成された後耳係止部２５とが把持具３を介して保持されている。
【００１３】
軒樋１は硬質塩化ビニル樹脂製の押出成形品で、図３に示すように、樋本体部１０が、平坦な底壁１１の前側部から前側壁１２が立設され、かつ底壁１１の後側部から後側壁１３が立設された溝形断面に形成されている。尚、前側壁１２は外側に向けて段部１２１が形成されるとともに若干膨出して形成され、前記後側壁１３は底壁１１に対して直角に形成されている。
【００１４】
また、前記前側壁１２の上端には前耳部１４が形成されており、この前耳部１４は内面側に開口した係合溝１４１が形成されている。この係合溝１４１の開口部上縁には係止爪１４２が下向きに形成されている。更に、後側壁１３の上端には後耳部１５が形成されており、この後耳部１５は、後方に向けて膨出した係止突起部１５１が形成され、係止突起部１５１の下側縁に下向きに突出した突起１５２が形成されている。
尚、前記前耳部１４の係合溝１４１及び後耳部１５の係止突起部１５１は、後述の図８に示すように、軒樋１を軒樋吊り具５に取付ける際の取付用溝と突起となる。
【００１５】
内継手２は、上記軒樋１と同様に硬質塩化ビニル樹脂製のものであり、図４に示すように、その外面形状が樋本体部１０の内面形状と形状とほぼ合致する形状に形成された溝形状の継手本体部２０と、この継手本体部２０の上端に設けられた前耳係止部２４と後耳係止部２５とで構成されている。
【００１６】
継手本体部２０は溝形状のものであり、平坦な底壁２１と、この底壁２１の両側部から立設された前側壁２２および後側壁２３とで構成されている。前側壁２２は底壁２１から外側に向けて若干傾斜して形成され、途中部で段部２２１が前方に若干膨出して形成されている。後側壁２３は底壁２１に対してほぼ直角に形成されている。
【００１７】
前耳係止部２４は継手本体部２０の前側壁２２の上端部から外側方に断面逆Ｊ字状に湾曲した係止片２４１を設けることにより係合溝２４２が形成されたものである。
後耳係止部２５は後側壁２３の壁厚と同じ寸法の上端面がそのまま適用されているが肉厚もしくは肉薄であってもよい。なお、２６は立ち上がり片であり、冬季の積雪荷重によって軒樋１の前耳部１４と内継手２の前耳係止部２４との係合が外れるの防止するものである。
【００１８】
把持具３は、内継手２と同様に硬質塩化ビニル樹脂製のものであり、軒樋１の後耳部１５に冠着して取付けられるもので、図５〜７に示すように、後耳部１５の係止突起部１５１を嵌入する開口溝３０が設けられた把持部本体３１と、把持部本体３０の下方に垂設された取手部３２とから形成されている。
【００１９】
把持部本体３１の開口溝３０は前方に開口されたもので、上側片３３と、この上側片３３の後端から屈曲して垂下する垂下片３４と、垂下片３４の下端から前方に屈曲した下側片３５とから形成されている。下側片３５の前端から垂下して取手部３２が設けられている。
【００２０】
上側片３３は下側片３５よりもはみ出した長さに設定されており、はみ出した部分の先端部に係止爪３６が設けられている。この係止爪３６は中央部が切り欠き欠かれて両端部に形成されており、この両端の係止爪３６、３６の上側に舌片３７、３７がそれそれ上方に突出して設けられている。
【００２１】
また、垂下片３４の途中部から取手部３２の上端部において中央部に開口した切欠部３９を形成し、切欠部３９の上端縁から垂下するバネ係止片３４ａが設けられている。このバネ係止片３４ａは切欠部３９の上端縁を支点にして前後に弾性的に撓むようになっており、バネ係止片３４ａの下端部に係止突起３５ａが上向きに突出して形成されている。
【００２２】
このような把持具３を用いて内継手２で軒樋１を接続するには、先ず最初に図８に示すように、軒先の壁面６に取付けられた軒樋吊り具５の後耳保持部５２に軒樋１の後耳部１５を装着して軒樋１を時計方向に回転させ、軒樋吊り具５の前耳保持部５１に軒樋１の前耳部１４を係止し、軒樋１、１同士の長手方向端部を互いに突き合わせた状態で取付け配設する。
【００２３】
続いて、把持具３の舌片３７、３７を挟むようにして摘んで、突き合わせられた軒樋１、１の接続端部における軒樋１の後耳部１５と軒先との間に把持具３の取手部３２を上方から差し込み、取手部３２を軒樋１の後側壁１３に押し付けることにより、図９（ａ）  に示すように、把持部本体３１の開口溝３０に後耳部１５の係止突起部１５１を嵌入する。このとき、把持具３のバネ係止片３４ａは後耳部１５の突起１５２がバネ係止片３４ａの係止突起３５ａを押圧して後方に弾性変形することになるが、弾性変形の途中において突起１５２と係止突起３５ａとが擦れあって、バネ係止片３４ａはもとの位置に戻り、突起１５２と係止突起３５ａとが互いに係合することになる。また、把持具３の上側片３３の係止爪３６と後耳部１５の内面との間に係合溝４０を形成した状態で、把持具３が軒樋１の後耳部１５に外れないように取付けられている。
【００２４】
次に、図９（ｂ）  に示すように、内継手２の外周面に必要に応じて接着剤２ａを塗布して、内継手３の後側壁２３の上端に形成された後耳係止部２５を係止爪３６と後耳部１５の内面との間の係合溝４０に引っ掛けて、後耳係止部２５を中心として内継手２を時計回りと反対方向に回転させ、軒樋１の内方に押し込むようにして嵌め込み、図９（ｃ）  に示すように把持具３の係止爪３６に内継手２の後側壁２３の上端（後耳係止部２５）を係止させる。このとき、図１に示すように、内継手２の前耳係止部２４を軒樋１の前耳部１４の係合溝１４１に嵌合して係止する。
【００２５】
図１０には、本発明の軒樋の接続構造の実施の形態の第２実施例をあらわしている。
【００２６】
図１０において、本実施例で使用される把持具３ａは、第１実施例で用いられた把持具３を縦方向中央で切断した構造に成形されたもので、隣接する軒樋１、１同士の当接端面にそれぞれ把持具３ａ、３ａを取付けた以外は、基本的に上記第１実施例と同じである。前記第１実施例と軒樋の接続構造と同一部分については同一の符号を付して説明を省略する。
この第２実施例の把持具３ａの場合、図１０に示すように、先ず初めに隣接する軒樋１、１同士の当接端面にそれぞれ把持具３ａ、３ａを取付け、軒樋１、１の後耳部１５、１５の内側に係合溝４０、４０を形成してから、この軒樋１、１を軒先の壁面６に取付けられた軒樋吊り具５に軒樋１、１同士の長手方向端部を互いに突き合わせた状態で取付け配設すればよい。
【００２７】
図１１〜１３には、本発明の軒樋の接続構造の実施の形態の第３実施例をあらわしている。
【００２８】
図１１において、軒樋１ａの後耳部１５ａが前方に向けて膨出した係止突起部１５１ａを形成しており、この係止突起部１５１ａに把持具４が冠着されていること以外は、第１実施例で説明した軒樋の接続構造と同じである。
【００２９】
上記係止突起部１５１ａに嵌着される把持具４は、図１３に示すように、係止突起部１５１ａを嵌入する開口溝３０ａが形成されている。この開口部３０ａは下方に開口されたもので、上側片４１と、この上側片４１の後端から屈曲して垂下する後垂下片４２と、上側片４１の前端から屈曲して湾曲して垂下する前垂下片４３とから形成され、更に、前垂下片４３の下端から後方に向けて係止片４４が突出している。
【００３０】
軒樋１ａの後耳部１５ａに把持具４を冠着したときに、軒樋１ａの後側壁の上端の後耳部１５ａの基部との間に係合溝４０ａが形成されることになる。この係合溝４０ａに内継手２の後耳部係止部２５を引っ掛けて、後耳係止部２５を中心として内継手２を軒樋１ａの内方に押し込み内継手２を嵌め込めば、第１実施例と同じようにして軒樋１ａ、１ａの接続を行うことができる。
【００３１】
以上、本発明実施例を図面に基づいて説明してきたが、具体的な構成はこの実施例の限られるものではなく本発明の要旨を逸脱しない範囲の設計変更等があっても本発明に含まれる。
【００３２】
【発明の効果】
以上説明したように、本発明軒樋の接続構造では、前耳部及び後耳部が形成された軒樋同士が長手方向端部を互いに突き合わせた状態で配設され、突き合わせられた軒樋の間に跨がって軒樋の内周面に沿うように内継手が装着された軒樋の接続構造において、軒樋の後耳部と内継手の後側壁の上端とが把持具を介して保持されており、軒樋の後耳部は後側壁の上端から後方もしくは前方に向けて膨出した係止突起部が形成され、把持具は係止突起部を冠着する開口溝が設けられ、該開口溝に前記係止突起部を冠着して軒樋の後側壁と開口溝の溝縁との間に係合溝を形成し、該係合溝に内継手の後側壁の上端に形成された後耳係止部が係合されているので、軒樋の後耳部を軒樋吊り具の後耳保持部にスムースに係合し、しかも、内継手の後側壁の上端が軒樋の後側壁から浮き上がるのを防止し、軒樋の突き合わせ部からの漏水の発生を防止することができる。
【図面の簡単な説明】
【図１】本発明の軒樋の接続構造の第１実施例を示す側面図である。
【図２】同じく軒樋の接続構造の分解側面図である。
【図３】本発明の軒樋の接続構造に使用される軒樋の側面図である。
【図４】本発明の軒樋の接続構造に使用される内継手の斜視図である。
【図５】本発明の軒樋の接続構造に使用される把持具の斜視図である。
【図６】同上の同上把持具の正面図である。
【図７】図６におけるＡ−Ａ線矢視の断面図である。
【図８】軒樋を軒樋吊り具に取付けた状態を示す説明図である。
【図９】図１の接続構造における把持具と内継手の軒樋への取付工程を示す説明図である。
【図１０】本発明の軒樋の接続構造の第２実施例を説明する要部切欠き斜視図である。
【図１１】本発明の軒樋の接続構造の第３実施例において使用される軒樋の側面図である。
【図１２】同上の第３実施例における軒樋の後耳部に把持具が冠着された状態を説明する説明図である。
【図１３】本発明の軒樋の接続構造の第３実施例において使用される把持具を示す斜視図である。
【図１４】従来の軒樋の接続構造における、内継手を軒樋に取り付ける状態を説明する説明図である。
【図１５】同上従来の接続構造において、軒樋を軒樋吊り具に取付ける状態を説明する説明図である。
【符号の説明】
１、１ａ        軒樋
１３            後側壁
１５、１５ａ    後耳部
２              内継手
２３            後側壁
３、３ａ、４    把持具
３０、３０ａ    開口溝
４０、４０ａ    係合溝
５              軒樋吊り具
６              軒先の壁面
【図１】
2004176377.tif 000003
【図２】
2004176377.tif 000004
【図３】
2004176377.tif 000005
【図４】
2004176377.tif 000006
【図５】
2004176377.tif 000007
【図６】
2004176377.tif 000008
【図７】
2004176377.tif 000009
【図８】
2004176377.tif 000010
【図９】
2004176377.tif 000011
【図１０】
2004176377.tif 000012
【図１１】
2004176377.tif 000013
【図１２】
2004176377.tif 000014
【図１３】
2004176377.tif 000015
【図１４】
2004176377.tif 000016
【図１５】
2004176377.tif 000017